Podtech/llm-jp-corpus-v4-ja_patent huggingface dataset:
(57)【要約】      （修正有）【課題】手押し運搬車において、走行が安定し操作も楽である２輪仕様の手押し運搬車を提供する。【解決手段】２つの車輪７を保持し、さらに車軸を保持するために両側にネジの切られたフレームに設置し、２つの車輪７をそれぞれに前記ネジを利用してナット４等で固定保持する。【選択図】図３
0003178161.tif 000002
【実用新案登録請求の範囲】
【請求項１】
手押し運搬車が２輪になった形態。
【請求項２】
車軸の材質は、ゴム類、金属類、非金属類、合成類、化合物等で作る形態。
【請求項３】
車軸の太さの径は、５ｍｍから１５０ｍｍ位の形態。
【請求項４】
車軸の長さは、１００ｍｍから１、０００ｍｍ位の形態。
【請求項５】
車軸の断面の形状は、まる形・およびすべての形ちの形態。
【考案の詳細な説明】
【技術分野】
【０００１】  従来の１輪用手押し運搬車は、１輪のため大変不安定である。その不安定さを解決するために、２輪にするものである。
【背景技術】
【０００２】  従来の１輪用手押し運搬車は、１輪のため大変不安定である。
その不安定さを解決するために２輪用運搬車とし安定をもとめるものである。
【先行技術文献】
【特許文献】
【考案の概要】
【考案が解決しようとする課題】
【０００３】  従来の１輪用手押し運搬車は、次のような欠点がある。
１、荷物の乗降が不安定である。そのため転倒しやすい。
２、荷物の片寄りによる不安定を持ちこたえるため、相当な力が必要である。
３、弱者は、フラ付きやすい。
４、手押し運搬中安定させるため、常に力のかけかたに気を使うため、疲れやすい。
５、重量物を運搬する時、安定を保つため相当な力が必要である。そのために仕事の能率が悪るい。
【課題を解決するための手段】
【０００４】  その手段は、台形、箱形、容器等を支さえているフレームに１本の車軸に左右に１輪づつ取付けた部品を、取付けてナット等で固定する。
【考案の効果】
【０００５】  上記課題を解決することに依り、次のような効果がある。
１、２輪にすることに依り、運搬車が安定する。
２、安定することに依り、無駄な力が不用となり楽に運搬出来る。
３、安定することに依り、弱者のフラ付きもなくなる。
４、安定することに依り、運搬が楽くになり疲れない。
５、安定することに依り、仕事が楽くになり能率が上がる。
６、安定することに依り、荷物の乗降時に転倒しない。
【考案を実施するための形態】
【０００６】  従来の手押し運搬車の１輪を車軸ごと固定されているナットをゆるめて、フレームから取外す。取外されたフレームのブラケット部に、本発明の車軸をナットで固定する。その車軸の両外側に１輪づつ取付けた形態。
【０００７】  フレームと車軸を固定する方法は色々あるが図では、ナットで固定した方法の一例である。
【図面の簡単な説明】
【０００８】
【図１】  従来の１輪用手押し運搬車のブラケット部である。
【図２】  本発明の内側２ケのナットによるブラケット部に固定した図である。
【図３】  本発明の車軸と輪をハメ込んだ状態を表わす図である。
【図４】  本発明の車軸を使用し、２輪をハメた運搬車の外観を表わした図である。
【符号の説明】１、フレーム
２、手持ち部
３、ブラケット
４  ナット
５  車軸
６  荷台
７  輪
【図１】
0003178161.tif 000003
【図２】
0003178161.tif 000004
【図３】
0003178161.tif 000005
【図４】
0003178161.tif 000006
【手続補正書】
【提出日】平成24年6月14日(2012.6.14)
【手続補正１】
【補正対象書類名】実用新案登録請求の範囲
【補正対象項目名】全文
【補正方法】変更
【補正の内容】
【実用新案登録請求の範囲】
【請求項１】
手押し運搬車が、２輪であることを特徴とする２輪用手押し運搬車。
【請求項２】
車軸の材質は、金属類を用いることを特徴とする請求項１記載の２輪用手押し運搬車。
【請求項３】
車軸の太さの径は、５ｍｍから１５０ｍｍまでの金属類を用いることを特徴とする請求項１記載の２輪用手押し運搬車。
【請求項４】
車軸の長さは、１００ｍｍから１０００ｍｍまでの金属類を用いることを特徴とする請求項１記載の２輪用手押し運搬車。
【請求項５】
車軸の断面の形状は、円形の金属類を用いることを特徴とする請求項１記載の２輪用手押し運搬車。
(57)【要約】      （修正有）【課題】浴槽の壁部分に安易に接着出来、設置方向を選ばず、カビの発生を抑えカビ取の労力を軽減する事が出来る風呂蓋立掛け式収納装置を提供する。【解決手段】壁に接着した中央に管部品の差込口の有る板状部品１と中央に管部品の差込口及びその左右に短い角度を持たせるための管部品の有る板状部品２を設ける。さらに、板状部品２の中央差し込み口にＴ字型の管状の可動式腕部品３を差し込み、左右の中央差し込み口の外側にジャバラ式風呂蓋を二つ折りにし、差し込む事の出来る幅を持たせた左右の長さの違うコノ字型の筒状部品を取り付けて風呂蓋立掛け式収納装置とする。【選択図】図１
0003178162.tif 000002
【実用新案登録請求の範囲】
【請求項１】
金属製の管及び板状からなる本考案は、浴槽と壁面の間の壁面に板状部品を接着し、管状部品と可動式腕部分を差し込み、腕部分を挟むようにジャバラ式の浴槽蓋を差し込み蓋を収納する風呂蓋立掛け式収納装置である。
【考案の詳細な説明】
【技術分野】
【０００１】
本考案は、風呂蓋の収納装置に関する。
【背景技術】
【０００２】
ジャバラ式の風呂蓋を収納する際、浴室内に丸めて立掛ける式のスタンドが存在する。
【考案の概要】
【考案が解決しようとする課題】
【０００３】
しかしながら、従来の収納方法では洗い場もしくは、浴室外に置いておく事になり、じゃま且つ、小さくする為に丸める作業が必要になり又、丸める事によって、蓋の内側が密着し乾燥せずにカビやすく為っていた。
【課題を解決するための手段】
【０００４】
本考案は、浴槽と壁間のスペースを利用し、ジャバラ式の蓋を二つ折りにし収納する事とし、浴室内スペースを、最大限確保する事及び、取り付け部品を左右どちらにも取り付けられる為浴槽と洗い場の位置関係を選ばないで取り付けられる、又折り畳まれた蓋の間に可動式の棒状の腕を挟む事により、蓋の密着を遮り通気を保ち乾燥を促進し、カビの発生を防ぐ効果がある、これらにより上記課題を解決するものである。
【考案の効果】
【０００５】
本考案は、浴槽の壁部分に安易に接着出来、設置方向を選ばず、カビの発生を抑えカビ取の労力を軽減する事が出来、実用性に優れたものである。
【図面の簡単な説明】
【０００６】
【図１】本考案に関わる全体図及び部品図である。
【考案を実施するための形態】
【０００７】
以下、本考案の実施の形態を図に基づいて説明する。
【実施例１】
【０００８】
図１で示すように、図１―１及び２を浴槽と接する壁部分に接着し固定する。
【０００９】
その時、図１―３の可動式腕部分の可動範囲を確保するために、図１―２が洗い場方向になる様に図１―１と２を入れ替えて接着出来る事により、浴室と浴槽の方向性を選ばずに設置できる。
【００１０】
壁と図１−６との間にジャバラ式風呂蓋を二つ折りにし差し込む際に 図１―３の可動式腕部分が邪魔に為らない様に可動式腕部分を洗い場方向に展開し、図１−５部分に当て止めておく。
【００１１】
二つ折りにされたジャバラ式風呂蓋の間に、図１−３の可動式腕部分を差し込むように展開し、図１−４部分にて移置を確定させる。
【００１２】
こうして、立掛けられた状態のジャバラ式風呂蓋は、水分が下に落ち、尚且つ二つ折りにされた蓋の内側では図１−３の可動式腕部分によって接触せず、蓋の密着を遮り通気を保ち乾燥を促進し、カビの発生を防ぐ効果を発揮する。
【符号の説明】
【００１３】
１    壁接着固定部品。
２    壁接着固定部品。
３    可動式腕部品。
４    腕部品の角度固定用部品。
５    腕部品の角度固定用部品。
６    風呂蓋固定用部品。
【図１】
0003178162.tif 000003
【手続補正書】
【提出日】平成24年6月13日(2012.6.13)
【手続補正１】
【補正対象書類名】実用新案登録請求の範囲
【補正対象項目名】全文
【補正方法】変更
【補正の内容】
【実用新案登録請求の範囲】
【請求項１】
壁に接着した中央に管部品の差込口の有る板状部品１と中央に管部品の差込口及びその左右に短い角度を持たせるための管部品の有る板状部品２が有り、板状部品２の中央差し込み口にＴ字型の管状の可動式腕部品を差し込み、左右の中央差し込み口の外側にジャバラ式風呂蓋を二つ折りにし、差し込む事の出来る幅を持たせた左右の長さの違うコノ字型の筒状部品を取り付ける事を特徴とする風呂蓋立掛け式収納装置。
(57)【要約】      （修正有）【課題】市販されている手帳は、通常、紙を何枚も綴ったノートのような形態になっているが、これをボタン１つで自動的に巻き上がるようにすることで、めくるという手動の動作を簡略化した手帳を提供する。【解決手段】通常、ノートのように綴られている手帳の紙を、カートリッジ式のロール紙３に替えることで、絵画の絵巻のように、ボタン５の１つで自動的に左側に巻き上げたり、ボタン５の２つで右側に巻き戻したりすることができる。これにより、めくるという手動の動作が簡略化されるとともに、手帳の本体を買い替えることなく、カートリッジを交換するだけで、新しい手帳を使用することができる。【選択図】図２
0003178167.tif 000002
【実用新案登録請求の範囲】
【請求項１】
着脱可能なカートリッジ式のロール紙を使用して、通常、スケジュール部分が記載されている手帳の左ページの右側のロールに取り付け、紙を左側に渡すことによって、ボタン１つ押すことによって、モーターが起動して、右から左へと移動させることができる装置である。同じボタンを２度押すと、今度は左から右へと巻き戻すこともできる。
【考案の詳細な説明】
【技術分野】
【０００１】  本考案は、手帳のスケジュール部分を、交換可能なカートリッジ式のロール紙に替えた自動巻き取り装置に関するものである。
【背景技術】
【０００２】  ふつう市販されている手帳の場合、ノートのように見開きで、左側がスケジュール、右側がメモというタイプが多い。
【考案の概要】
【考案が解決しようとする課題】
【０００３】  ノートのように綴られた通常の手帳は、使い慣れているので使用感に問題はないが、寒さで手がかじかんでいるときなど、めくりづらいという問題がある。また暑いときには、指の汗が紙について汚れてしまったり、表面が波打ってしまったりする。あるいは両手がふさがっているときや、すばやくページをめくりたいときなどに不便を感じることもある。
【課題を解決するための手段】
【０００４】  本考案は、着脱可能なカートリッジ式のロール紙を使用して、通常、スケジュール部分が記載されている手帳の左ページの右側のロールに取り付け、紙を左側に渡すことによって、ボタンを１つ押すことによって、モーターが起動して、右から左へと移動させることができる装置である。同じボタンを２度押すと、今度は左から右へと巻き戻すこともできる。これにより、ページをめくるという手動の動作を省くことができ、またボタンひとつという簡略な動作でスケジュールのチェック作業を行うことができる。
【考案の効果】
【０００５】  上述の様に、ロール紙の巻き取り、巻き戻しをカセットテープのように自動的に行うことができるため、ノート型の通常の手帳のような、めくるという動作を行う必要がなくなる。これにより、忙しいときや、手がふさがっているとき、外出時に片手が使えないようなときでも、ボタン１つの操作で、現在の週から翌週、あるいは現在の週から前週への移動を速やかに行うことができる。これを商品化することで、毎年購入していた手帳も、基本部分の本体をそのまま使って、カートリッジの交換のみで済ませることができるという効果もある。
【図面の簡単な説明】
【０００６】
【図１】カートリッジ式のロール紙を取り付ける前の手帳本体である。右側に記載したのはロールと、それに取り付けるカートリッジ式のロール紙である。
【図２】カートリッジ式のロール紙を取り付けたもので、上下と左側が断面図である。
【考案を実施するための形態】
【０００７】  手帳の左ページの左右にモーターで回転するロールを本体に固定しておく。右側のロールにカートリッジ式のロール紙を取り付け、紙を左側に渡す。紙を移動させたいときには、下にある押しボタンを押す。それによりカセットテープのように左から右へとスケジュールが移動する。スケジュールを記載する時、台となるものが必要になるので、左右のロールの中間には筆記用台を設けてある。ここに電力装置や充電池を収納することができる。その下のボタンを１回押すと左へ進み、ボタンを２回押すと右へと巻き戻すことができる。
【実施例】
【０００８】  以下、添付図面に従って一実施例を説明する。図１は基本となる手帳本体で、１と２はモーターで回転するロールである。このうち右側の２のロールにカートリッジ式のロール紙３を取り付ける。ロール紙は左側の１のロールに渡す。【０００９】  ロール紙のスケジュールに文字を記す必要があるので、１と２のロールの中間に４の台を設ける。ここにはモーターを駆動するための電力装置および充電池あるいは電池を収納する。この下部にある５がモーターを動かすための押しボタンで、４の電力装置と１と２は、６の回線によって結ばれている。【００１０】  図２はカートリッジ式のロール紙３を取り付けた図で、上下と左側に断面図を添えてある。図１と同様、５が押しボタンで、６の回線を通じて７の回転装置に電力が伝わり、ロールを回転させることができる。【００１１】  手帳の左側のメモ欄は、自由にページが増やせるように図１のメモ装着面８に、図２のような着脱式のメモ欄９を取り付けられるようになっている。
【符号の説明】
【００１２】１  ロール（左側）
２  ロール（右側）
３  カートリッジ式のロール紙
４  電力装置や充電池などを収納した筆記用台
５  押しボタン
６  回線
７  回転装置
８  メモ装着面
９  着脱式メモ欄
【図１】
0003178167.tif 000003
【図２】
0003178167.tif 000004
【手続補正書】
【提出日】平成24年6月18日(2012.6.18)
【手続補正１】
【補正対象書類名】実用新案登録請求の範囲
【補正対象項目名】全文
【補正方法】変更
【補正の内容】
【実用新案登録請求の範囲】
【請求項１】
スケジュールを記載する左ページの左右にロールを設置し、着脱可能なカートリッジ式のロール紙を右側に取り付けたあと、左側のロールに巻き付け、前記ロールの中間にある筆記用台に充電池付きの動力装置を設け、手帳の下側に起動するためのボタンを設けたことを特徴とする手帳。
(57)【要約】      （修正有）【課題】音符が異なっても同じながさのリズムである事を視覚的・量的に訴えるカードを提供する。【解決手段】カードの幅は、表面に記載された音符の長さのリズムに対応し、裏面には表面の音符と同じ長さのリズムで異なる音符が記載されている。【選択図】図２
0003178165.tif 000002
【実用新案登録請求の範囲】
【請求項１】
音符と同じ長さのリズムを表したカードに、音符と同じ長さのリズムが表面に記載され、その裏面には表面と同じ長さのリズムが異なる音符で記載されている音符カード。  
【考案の詳細な説明】
【技術分野】
【０００１】
この考案は、音楽のリズムの教育用カードに関する。
【背景技術】
【０００２】
音符を読んで、これらの音符によって表わされるリズムを表現したり、音を聴いてそのリズム記すには音符の長さを認識できねばならない。
【先行技術文献】
【特許文献】
【０００３】
【特許文献１】特開２００５−２３０４８３号公報
【考案の概要】
【考案が解決しようとする課題】
【０００４】
このような音の長さ、つまりリズム感を身につけるには、音符と音の長さを量的や視覚的に訴えて学ぶ方が学びやすい。このような音の長さや音符の長さをカードの長さで示したものはあった。
ところが、カードの表面にしか音符が書かれていないため、他の種類の音符記号との関連が理解できなかった。
【課題を解決するための手段】
【０００５】
そこで、この考案の課題は、視覚を利用したリズムカードを提供することにある。
上記課題を解決するために、この考案の音符カードにおいては、拍子の長さをカードの幅で表すだけでなく、表面と裏面に同じ長さのリズムを異なった音符でリズムを記している。
【考案の効果】
【０００６】
これらの音符カードによって行われる教育とは、これらの音符カードを見せ、その音符カードに記されている各音符の音の長さをリズム奏しこれらの音を聞かせ、この音符カードの各音符の音の長さを認識させ、さらに裏返して、表面の音符と同じ長さのリズムである事を認識させるというものである。
あるいはリズムを聞きながら音符カードの各音符を指で追わせたり、これらの音を発声させたり、手拍子をとらせたりさせ、さらに裏返して、異なる音符であるが同じ長さのリズムを発声させたり、手拍子をとらせたりすることによって、同じ音の長さであることを直感的に結びつけさせることができる。
【図面の簡単な説明】
【０００７】
【図１】図１は本実施の形態の外観図である。
【図２】図２は本実施の形態の製品例１の図である。
【図３】図３は本実施の形態の製品例２の図である。
【図４】図４は本実施の形態の製品例４の図である。
【考案を実施するための形態】
【０００８】
以下、この考案の実施形態を添付図面を参照して詳細に説明する。
図１及び、図２から図４は、この考案の教育用カードの一実施形態を示している。
この教育カードは多数の音符カードの表面２−１、３−１、４−１、裏面２−２、３−２、４−２（その一部を図２から図４に示す）からなる。音符の組み合わせの種類に応じた枚数になる。これらのカードは音符と同じ長さのリズムを表した矩形の厚紙もしくは、プラスチック板であってその裏面は表面と同じ長さのリズムが異なる音符で記されている。カードの幅は、リズムの長さをあらわしており、図３のカードの幅は図２のカードの幅の３倍、図４のカードの幅は図２のカードの幅の１.５倍である。音符を記す方法は、音符のシールを貼っても、カードに印刷してもよい。
【産業上の利用可能性】
【０００９】
音楽の指導者は、生徒に、このカードの表面と裏面を見せて、それぞれリズム奏させ、同じ音の長さであることを視覚にも訴えることで音符の長さの習得を容易にすることができる。
【符号の説明】
【００１０】
２−１、３−１、４−１  表面
２−２、３−２、４−２  裏面
【図１】
0003178165.tif 000003
【図２】
0003178165.tif 000004
【図３】
0003178165.tif 000005
【図４】
0003178165.tif 000006
【手続補正書】
【提出日】平成24年7月2日(2012.7.2)
【手続補正１】
【補正対象書類名】実用新案登録請求の範囲
【補正対象項目名】全文
【補正方法】変更
【補正の内容】
【実用新案登録請求の範囲】
【請求項１】
カードの幅が表面に記載の音符の長さのリズムに対応したカードの裏に表面と同じ長さのリズムで異なる音符が記載されているカード
(57)【要約】      （修正有）【課題】低コストでクリーンな、企業、工場、家庭用発電機を提供する。【解決手段】可動下板と可動上板２枚を組合わせ左右運動を出来る様にし動力不足分はケース内側と可動上板間で、電磁石１の反発で半永久的に左右運動を繰り返す、その左右運動の上に大リング５を乗せその上にバランス重り３を乗せる事により、回転運動に変え大リングの回転で、数台の発電機２を運転し発電する。点検等の時１機を停止するので、２機１組で使用する。【選択図】図１
0003178166.tif 000002
【実用新案登録請求の範囲】
【請求項１】
自然エネルギー引力を利用し、可動下板と可動上板２枚を組合わせ左右往復運動を出来る様にし動力不足分はケース内側と可動上板間で、永久磁石または電磁石の反発で、永久的に左右運動を繰り返し、その左右運動の上に大リングを乗せその上にバランス重りを乗せる事により、回転運動に変え大リングの回転で、数台の発電機を運転し発電するという構造を有する引力発電機。
【考案の詳細な説明】
【技術分野】
【０００１】本発明は、動力に引力を利用し、無公害発電機に関するものである。
【背景技術】
【０００２】従来発電機と言えば、原子力、水力、火力、地熱、風力、太陽光、天然ガス等色々有るが、リスク、有害物質、ＣＯ２、無風、夜間等の条件で、何らかの難点が有る。
【考案の開示】
【考案が解決しようとする課題】
【０００３】従来発電機は、有害物質を発したり、ＣＯ２を排出したり、と問題点が有り、本発明が解決しようとする課題は、自然エネルギー引力を利用する事で、有害物質、ＣＯ２を排出しないクリーン発電機で有れば、前述の課題を解決出来ると考えたものである。
【課題を解決するための手段】
【０００４】コストが安く有害物質が出なく、特に問題点も無い、自然クリーンエネルギーを利用すれば、前述の問題点を無くせると考えた結果、地球上何処にも有る自然エネルギーの引力を利用し縦の往復運動を永久磁石、電磁石等を用い横回転運動に変え効率よくスムーズに回転発電し、前述の欠点を解決しようとするものである。
【考案の効果】
【０００５】上述の様に、本発明の引力発電機は、自然エネルギーで、発電するので、有料の動力エネルギーコストが掛からず無公害で、昼夜を問わず発電出来、企業、工場、家庭用の安価発電の効果がある。
【考案を実施するための最良の形態】
【０００６】上述の様に横運動を回転運動に変える為、どうしても動力音が出るので、ケース入りでコンパクトにし屋上、庭などに設置できる構造で、電力容量に応じ大きさを多段階に作成し、予備機、点検等も行うので２台一組とし提供する。
【実施例】
【０００７】以下、添付図面に従い実施例を説明する。（１）は、反発永久磁石または、電磁石であり直接鋼材どうしが当たり、音、磨耗が無い役目をする。（２）は、発電機であり（４）機使用しているが、動力さえ確保できれば何機でも増機出来、（６）の可動下板と７の可動上板により引力で左右運動し、連動不足を（１）の反発永久磁石で助け半永久に左右運動を続け、（５）の大リングと（３）の重りとのバランス調節で回転運動となり（２）の発電機が回転し、電力供給する。その際音を減少さす為、発電機全体をケースに入れ使用し予備機、点検も必要で２機で併用する。
【産業上の利用可能性】
【０００８】大型機を作成すれば、原子力発電機の代わりが出来る。
【図面の簡単な説明】
【０００９】
【図１】  全体の平面図である。
【図２】  全体の正面図である。
【符号の説明】
【００１０】１      永久または、電磁石
２      発電機
３      バランス重り
４      ケース
５      大リング
６      可動下板
７      可動上板
８      永久磁石軸棒
９      底板
【図１】
0003178166.tif 000003
【図２】
0003178166.tif 000004
【手続補正書】
【提出日】平成24年6月7日(2012.6.7)
【手続補正１】
【補正対象書類名】実用新案登録請求の範囲
【補正対象項目名】全文
【補正方法】変更
【補正の内容】
【実用新案登録請求の範囲】
【請求項１】
自然エネルギー引力を利用し、可動下板と可動上板２枚を組合わせ左右往復運動を出来る様にし動力不足分はケース内側と可動上板間で、電磁石の反発で、左右運動を繰り返し、その左右運動の上に大リングを乗せその上にバランス重りを乗せる事により、回転運動に変え大リングの回転で、数台の発電機を運転し発電するという構造を有する引力発電機。
(57)【要約】      （修正有）【課題】開閉自在の突起物を設けることにより、按摩刺激機能を高めた按摩器を提供する。【解決手段】一端が互いに連結し、他端が互いに開閉自在な略球体形状を有する按摩器であって、前記一端側の外表面に突起物が設けられ、前記開閉自在に互いに対面する面に滑り止め加工が施され、壁または柱における９０度の角部分に滑り止め加工が施され面を当接することによって、壁または柱に取り付けて使用可能な様に按摩器を形成する。【選択図】図３
0003178168.tif 000002
【実用新案登録請求の範囲】
【請求項１】
本考案は、まんじゅう球体型按摩器である。壁および柱の９０度の角部分に按摩器を取り付け圧力のある押しもみ刺激が簡単にできるところを特長とする按摩器。
【考案の詳細な説明】
【技術分野】
【０００１】この考案は、まんじゅう型球体按摩器に関するものである。
【背景技術】
【０００２】従来の按摩器は、自分の按摩を自分自身で刺激する自力利用型按摩器が一般的な方法あった。この方法では自分自身の体力を消耗し物理的に疲れを伴い且つ心地良さが得られないという欠点があった。
【考案の開示】
【考案が解決しようとする課題】
【０００３】本考案は、体力を消耗する自力利用型按摩器による刺激方法に代わるものとして、壁および柱を利用する簡単な刺激方法で前述の欠点を解決しようとするものである。
【課題を解決するための手段】
【０００４】本考案は、突起物を設けたまんじゅう型球体の按摩器である。
壁および柱の９０度の角部分に按摩器を取り付けて刺激する方法である。
肩、首、背中の刺激する部分に按摩器の突起物を押し当て子供遊びの「おしくらまんじゅ」ように自身の体全体で寄りかかり押しもみ刺激が簡単にできることで課題を解決したものである。
【考案の効果】
【０００５】本考案は、壁および柱の角部分を最大限に利用する効果的な刺激方法である。
【考案を実施するための最良の形態】
【０００６】本考案は、ゴムおよび樹脂系素材である。突起物を設けた開閉自在なまんじゅう型球体で開閉部分に滑り止め加工が施されており、刺激する体の部位に合わせて壁および柱の角の上下部分に自在に取り付けが容易にできる。
【図面の簡単な説明】
【０００７】
【図１】は、本考案のまんじゅう型按摩器の正面図である。
【図２】は、本考案のまんじゅう型按摩器の平面図である。
【図３】は、本考案を壁・柱の９０度の角に取り付けた平面図である。
【符号の説明】
【０００８】  ▲１▼  突起物
▲２▼  開閉部
▲３▼  滑り止め加工
▲４▼  壁・柱
【図１】
0003178168.tif 000003
【図２】
0003178168.tif 000004
【図３】
0003178168.tif 000005
【手続補正書】
【提出日】平成24年6月13日(2012.6.13)
【手続補正１】
【補正対象書類名】実用新案登録請求の範囲
【補正対象項目名】全文
【補正方法】変更
【補正の内容】
【実用新案登録請求の範囲】
【請求項１】
一端が互いに連結し、他端が互いに開閉自在な略球体形状を有する按摩器であって、前記一端側の外表面に突起物が設けられ、前記開閉自在に互いに対面する面に滑り止め加工が施され、壁または柱における９０度の角部分に滑り止め加工が施され面を当接することによって、壁または柱に取り付け可能であることを特徴とする按摩器。
(57)【要約】      （修正有）【課題】携帯端末機器を片手のみで操作することが出来るように片手の小指及び薬指を固定する装置を提供する。【解決手段】携帯端末の背面に取り付けられ、片手の小指及び薬指をそれぞれ挿入するリングからなる。【選択図】図１
0003178173.tif 000002
【実用新案登録請求の範囲】
【請求項１】
スマホ等の背面に、「片手の小指・薬指を固定する装置」を装着することで、スマホ等を滑らずに、片手（親指、人差指）で画面操作できることを特徴とする携帯端末用の「片手の小指・薬指を固定する装置」である。
【請求項２】
請求項１に記載した「片手の小指・薬指を固定する装置」において、スマホ等の背面に、直接貼付けるか、各種カバーにこの装置を貼付けるか、各種カバーに組み込むか、いずれかの方法でこの装置を装着することによって、背面の２指（小指、薬指）でスマホ等を固定し、表面の２指（親指、人差指）でスマホ等を操作できることを特徴とする携帯端末装置である。
【請求項３】
請求項１に記載した「片手の小指・薬指を固定する装置」は、機器の裏面に用いるものとし、以上２点を代表とする携帯端末装置であり、その形状を以下に示すものとする。
形状１として図にも有る通り２センチメートル程の間隔を持った２個のリング（薬指２０ミリメートルと小指１５ミリメートル程度）状のもので、未使用時は倒せることで収納の邪魔にならないものとする。
形状２としては、同様箇所にポッケット式の小指・薬指を固定する装置とする。
形状３としては、同様箇所に指サック式の小指・薬指を固定する装置とする。
【考案の詳細な説明】
【考案の概要】
【考案が解決しようとする課題】
【０００１】  解決しようとする問題点は、スマートフォン、（公序良俗違反につき、不掲載）等の携帯端末機器（以降、スマホ等と言う）は、時として両手での操作を必要とし煩わしさを感ずるが、片手のみで操作することが出来るようにしたい点にある。
【課題を解決するための手段】
【０００２】
本考案は、スマホ等に、カバー越し（間接的）または直接的に、「片手の小指・薬指を固定する装置」を装着することで、全ての操作を片手のみでできるようにすることを最も主要な特徴とする。
【考案の効果】
【０００３】
本考案のスマホ・ワンハンドラーは、片手で使えた携帯電話の軽快さも継続できるため、女性的な可愛いい両手操作ではなく男性的な使用感も維持できるという利点がある。
【図面の簡単な説明】
【０００４】
【図１】図１はスマホ・ワンハンドラー器具の装着方法を示した説明図である。
【図２】図２はスマホ・ワンハンドラー器具の使用方法を示した説明図である。
【図３】図３はスマホ・ワンハンドラーを使用した場合の片手での画面拡大前の図である。
【図４】図４はスマホ・ワンハンドラーを使用した場合の片手での画面拡大後の図である。
【先行技術文献】
【非特許文献】
【０００５】
特になし
【図１】
0003178173.tif 000003
【図２】
0003178173.tif 000004
【図３】
0003178173.tif 000005
【図４】
0003178173.tif 000006
【手続補正書】
【提出日】平成24年7月7日(2012.7.7)
【手続補正１】
【補正対象書類名】明細書
【補正対象項目名】全文
【補正方法】変更
【補正の内容】
【考案の詳細な説明】
【考案の概要】
【考案が解決しようとする課題】
【０００１】
解決しようとする問題点は、スマートフォン等の携帯端末機器（以降、スマホ等と言う）は、時として両手での操作を必要とし煩わしさを感ずるが、片手のみで操作することが出来るようにしたい点にある。
【課題を解決するための手段】
【０００２】
本考案は、スマホ等に、カバー越し（間接的）または直接的に、「片手の小指・薬指を固定する装置」を装着することで、全ての操作を片手のみでできるようにすることを最も主要な特徴とする。
【考案の効果】
【０００３】
本考案のスマホ・ワンハンドラーは、片手で使えた携帯電話の軽快さも継続できるため、女性的な可愛いい両手操作ではなく男性的な使用感も維持できるという利点がある。
【図面の簡単な説明】
【０００４】
【図１】図１はスマホ・ワンハンドラー器具の装着方法を示した説明図である。
【図２】図２はスマホ・ワンハンドラー器具の使用方法を示した説明図である。
【図３】図３はスマホ・ワンハンドラーを使用した場合の片手での画面拡大前の図である。
【図４】図４はスマホ・ワンハンドラーを使用した場合の片手での画面拡大後の図である。
【先行技術文献】
【非特許文献】
【０００５】
特になし
【手続補正２】
【補正対象書類名】実用新案登録請求の範囲
【補正対象項目名】全文
【補正方法】変更
【補正の内容】
【実用新案登録請求の範囲】
【請求項１】
携帯端末機器の背面に取り付けられ、片手の小指及び薬指をそれぞれ挿入するリングから構成される固定部材を有した、片手の小指及び薬指を携帯端末機器の背面に固定する装置。
【請求項２】
携帯端末機器の背面に取り付けられ、又は、携帯端末機器のカバーに取り付けられ、又は、携帯端末機器のカバーと一体に構成され、片手の小指及び薬指をそれぞれ挿入するリングから構成される固定部材を有した、片手の小指及び薬指を携帯端末機器の背面に固定する装置。
【請求項３】
携帯端末機器の背面に取り付けられ、片手の小指及び薬指を携帯端末機器の背面に固定する部材を備え、前期部材は、前記携帯端末機器の背面に対して垂直状態と水平状態に可動可能に取り付けられ、片手の小指及び薬指を挿入するリング、又は、片手の小指及び薬指をそれぞれ挿入する指サックであることを特徴とする、片手の小指及び薬指を携帯端末機器の背面に固定する装置。
(57)【要約】      （修正有）【課題】持ち運びの携帯性と多機能、設置の簡易性を有し、コスト面で安価なトイレユニットケースを提供する。【解決手段】２つ折りキャリーケース１を持ち運び可能な大きさにしてケース内部に便器、便座２ａ、ジャバラ式水タンク２ｄ、洗面道具、水汲みポンプ、湯沸かし器、壁テントを組み込み、ケース外にスライド柱骨組１ａ、上屋骨組１ｂ、洗面台１ｃ、化粧台１ｄを取り付け自立式スタンド１ｅを設けて出来るトイレユニットケースである。【選択図】図６
0003178172.tif 000002
【実用新案登録請求の範囲】
【請求項１】
２つ折りキャリーケース（１）を持ち運び可能な大きさにして、ケース内部に便器（２）、便座（２ａ）、ジャバラ式水タンク（２ｄ）、洗面道具（２ｂ）、水汲みポンプ（２ｂ）、壁テント（２ｅ）を組み込み、ケース外にスライド柱骨組（１ａ）、上屋骨組（１ｂ）、洗面台（１ｃ）、化粧台（１ｄ）を取り付け、自立式スタンド（１ｅ）を設けて出来るトイレユニットケースであり、組み立て方としては、２つ折りキャリーケース（１）を開いて、自立式スタンド（１ｅ）を出して固定し、スライド柱骨組（１ａ）を上げて上屋骨組（１ｂ）を折りたたみ固定して便器（２）を出し便座（２ａ）開いて、壁テント（２ｅ）とジャバラ式水タンク（２ｄ）を出し壁テントを上屋骨組に取り付けてトイレとし、洗面使用するときは洗面ボックス（２ｂ）、ポンプボックス（ｃ）を取り外しケース外に取り付けてある洗面台（１ｃ）、化粧台（１ｄ）を２７０°折り曲げてカランと排水ホースを取り付けて出来るトイレユニットケースである。
【考案の詳細な説明】
【技術分野】
【０００１】工事現場で使用されている仮設トイレ、又はポータブルトイレ、簡易型トイレとして用いられるトイレユニットケース。
【背景技術】
【０００２】工事現場で使用されている仮設トイレはトラック運搬でクレーンでの設置で使用する場合が多い、またポータブルトイレは住居での使用又は乗用車に積んで移動できるが、外での使用にはある程度の囲いが必要となる。
【先行技術文献】
【０００３】
【特許文献】
【特許文献】特許公開２００３−６４７７２
【考案の概要】
【考案が解決しようとする課題】
【０００４】持ち運びの携帯性と多機能、設置の簡易性、コスト面の安価であることが課題である。
【課題を解決するための手段】
【０００５】  ２つ折りキャリーケース（１）を持ち運び可能な大きさにして、ケース内部に便器、（２）、便座（２ａ）、ジャバラ式水タンク（２ｄ）、洗面道具（２ｂ）、水汲みポンプ（２ｃ）、壁テント（２ｅ）を組み込み、ケース外にスライド柱骨組（１ａ）上屋骨組（１ｂ）、洗面台（１ｃ）および化粧台（１ｄ）を取り付け、自立式スタンド（１ｅ）を設けて出来るトイレユニットケースであり、図１の２つ折りキャリーケース（１）を開いて、自立式スタンド（１ｅ）を出して固定し、スライド柱骨組（１ａ）を上げて上屋骨組（１ｂ）を折りたたみ固定して便器（２）を出し便座（２ａ）開いて、壁テント（２ｅ）とジャバラ式水タンク（２ｄ）を出し壁テントを上屋骨組に取り付けてトイレとし、洗面使用するときは洗面ボックス（２ｂ）、ポンプボックス（ｃ）を取り外しケース外に取り付けてある洗面台（１ｃ）、化粧台（１ｄ）を２７０°折り曲げてカランと排水ホースを取り付けて出来るトイレユニットケースである。
【考案の効果】
【０００６】移動時の携帯性が増し、洗面台を取り付けることにより機能が増し、コンパクトな組立および解体が容易になった。
【図面の簡単な説明】
【０００７】
【図１】  折りたたんだ状態の斜視図
【図２】  ケースを９０°開いた斜視図
【図３】  ケースを１８０°開いた斜視図
【図４】  上屋骨組、組み立て斜視図
【図５】  便器と便座設置斜視図
【図６】  トイレ室完成斜視図
【図７】  洗面所完成斜視図
【考案を実施するための形態】
【０００８】図１の２つ折りキャリーケース（１）を開いて、自立式スタンド（１ｅ）を出して固定し、スライド柱骨組（１ａ）を上げて上屋骨組（１ｂ）を折りたたみ固定して便器（２）を出し便座（２ａ）開いて、壁テント（２ｅ）とジャバラ式水タンク（２ｄ）を出し壁テントを上屋骨組に取り付けてトイレとし、洗面使用するときは洗面ボックス（２ｂ）、ポンプボックス（ｃ）を取り外しケース外に取り付けてある洗面台（１ｃ）、化粧台（１ｄ）を２７０°折り曲げてカランと排水ホースを取り付けて出来るトイレユニットケースである。
【符号の説明】
【０００９】１．  ２つ折りキャリーケース
１ａ．スライド柱骨組
１ｂ．上屋骨組
１ｃ．洗面台
１ｄ．化粧台
１ｅ．自立式スタンド
２．  便槽タンク
２ａ．便座
【図１】
0003178172.tif 000003
【図２】
0003178172.tif 000004
【図３】
0003178172.tif 000005
【図４】
0003178172.tif 000006
【図５】
0003178172.tif 000007
【図６】
0003178172.tif 000008
【図７】
0003178172.tif 000009
(57)【要約】      （修正有）【課題】素早くケーブルを通すことができるケーブル通し器を提供する。【解決手段】圧巻バネに円すい形巻バネ部を設ける。【選択図】図４
0003178177.tif 000002
【実用新案登録請求の範囲】
【請求項１】
圧巻バネに円すい形巻バネ部を設けた圧巻バネによるケーブル通し器。
【考案の詳細な説明】
【技術分野】
【０００１】  本考案は、圧巻バネによるケーブル通し器に関するものである。
【背景技術】
【０００２】  従来、圧巻バネによるケーブル通し器はなかった。
【考案の開示】
【考案が解決しようとする課題】
【０００３】  従来は次のような欠点があった。
従来、壁に穴を開けて、アンテナケーブルや電線を壁に通すとき、ケーブル自体を穴に差し込んで、ケーブル自体の先端部で探りをしながらもう片方の穴に通していた。
そのため、ケーブルの先端がもう片方の穴を探っているときに少し曲がってしまい、なかなかケーブルを通すことができなかった。
また、入口の穴と出口の穴の位置が水平ではなく、ずれて穴が開いているとき、なかなかケーブルを通すことができなかった。
本考案は、上記の欠点を除くためになされたものである。
【課題を解決するための手段】
【０００４】  圧巻バネに円すい形巻バネ部を設ける。
本考案は、以上のような構成により問題点を解決している。
【考案の効果】
【０００５】  直進性が保たれるので素早くケーブルを通すことができる。
また、入口の穴と出口の穴の位置が水平ではなく、ずれて穴が開いているときでも柔軟性があるので容易にケーブルを通すことができる。
【考案を実施するための最良の形態】
【０００６】  圧巻バネに円すい形巻バネ部を設ける。
円すい形巻バネ部に円筒形巻バネ部を設ける。
【実施例】
【０００７】  以下、本考案の実施例について説明する。
圧巻バネ１に円すい形巻バネ部２を設ける。
円すい形巻バネ部２に円筒形巻バネ部３を設ける。
バネの線材の太さは同じであるが、各部で巻の円の直径が異なっている。
圧巻バネ１は細めてあり、巻の円の直径が小さくなっていて、穴通しがしやすくなっている。
円すい形巻バネ部２は巻バネが円すい形になっているので、巻の円の直径が異なっている。
円すい形巻バネ部２は図３、図４、図５にあるように各異径アンテナケーブルをねじ込むことで固定するための部分である。
このことにより、各異径アンテナケーブルの３Ｃアンテナケーブル、４Ｃアンテナケーブル、５Ｃアンテナケーブルに対応することができる。
円筒形巻バネ部３は巻の円の直径が大きくなっていて、円筒形巻バネの中にケーブルを収容するためのものである。
バネの種類、形状、材質、大きさをいろいろにすることにより、他のケーブルにも対応することができる。
バネの種類、形状、材質、大きさをいろいろにすることにより、多種多様にすることができる。
バネを透明な樹脂で包んだり、バネを透明な樹脂の材質や形状、大きさをいろいろにすることにより、多種多様にすることができる。
【図面の簡単な説明】
【０００８】
【図１】本考案の側面図である。
【図２】本考案の後部の側面図である。
【図３】本考案に３Ｃアンテナケーブルをねじ込んだ側面図である。
【図４】本考案に４Ｃアンテナケーブルをねじ込んだ側面図である。
【図５】本考案に５Ｃアンテナケーブルをねじ込んだ側面図である。
【図６】本考案を壁の穴に通している側面図である。
【図７】本考案を壁のずれた穴に通している側面図である。  各図の各部において主要部以外は省略している。  各図の各部において波線以外の部分は省略している。  図６、図７において各巻バネの表現は省略している。
【符号の説明】
【０００９】１    圧巻バネ
２    円すい形巻バネ部
３    円筒形巻バネ部
４    ３Ｃアンテナケーブル
５    ４Ｃアンテナケーブル
６    ５Ｃアンテナケーブル
７    入口の穴
８    出口の穴
９    壁
１０  壁
１１  入口の穴
１２  出口の穴
１３  壁
１４  壁
１５  アンテナケーブル
１６  壁と壁の間
【図１】
0003178177.tif 000003
【図２】
0003178177.tif 000004
【図３】
0003178177.tif 000005
【図４】
0003178177.tif 000006
【図５】
0003178177.tif 000007
【図６】
0003178177.tif 000008
【図７】
0003178177.tif 000009
(57)【要約】      （修正有）【課題】広告表示部が風などに影響されず、揺れたり棚引くことなく、したがって広告の内容が歪んだり、傾いたりすることなく、見易く把握しやすい広告装置を提供する。【解決手段】内部に気体が封入された円柱形状のバルーン１の中央部に上下に貫通した空洞の孔部２が形成されている。孔部２にはポール３が挿通されている。ポール３の上部には横棒４が設けられており、横棒４によりバルーン１は上方から抜けることはない。ポール３のバルーン１の下方をクリップ５で挟持している。クリップ５により、バルーン１は下方にずり落ちないように止められている。ポール３の最下部分は、台座部としての注水式タンク６に挿入されている。ポール３が注水式タンク６に挿入されることにより、ポール３は安定して直立した状態で設置される。【選択図】図２
0003178175.tif 000002
【実用新案登録請求の範囲】
【請求項１】
バルーン本体の中央部分にポールが挿通可能な孔部を上下に貫通して有する広告装置。
【請求項２】
前記ポールの下部に台座部を有する請求項１に記載の広告装置。
【考案の詳細な説明】
【技術分野】
【０００１】
本考案は、路上などに設置して広告を行なう広告装置に関するものである。
【背景技術】
【０００２】
一般的に、幟旗が広告の手段として利用されていることが多い。従来の幟旗による広告装置は、直立するポールと、ポールに直交して取り付けられた支持棒と、支持棒に垂らして設けられた広告表示部とから構成される（例えば、特許文献１、２参照）。
しかし、従来の幟旗は、広告表示部が支持棒から垂らされて設置されるため、風などの影響で揺れたり、棚引くことによって広告の内容が歪んだり、傾いたりして把握しにくかった。
【先行技術文献】
【特許文献】
【０００３】
【特許文献１】特開２０１２−５８２９９号公報
【特許文献２】実用新案登録第３１６７９９２号公報
【考案の概要】
【考案が解決しようとする課題】
【０００４】
本考案は、広告表示部が風などに影響されず、揺れたり棚引くことなく、したがって広告の内容が歪んだり、傾いたりすることなく、見易く把握しやすい広告装置を提供する。
【課題を解決するための手段】
【０００５】
本考案の広告装置は、バルーン本体の中央部分にポールが挿通可能な孔部を上下に貫通して有する。
【考案の効果】
【０００６】
本考案は、バルーンを使用することで、広告表示部が幟旗のように揺れたり棚引いたりしないので、広告の内容が見易く、把握しやすい。
【図面の簡単な説明】
【０００７】
【図１】図１は本考案の広告装置の実施の形態の平面図である。
【図２】図２は同実施の形態の側面図である。
【考案を実施するための形態】
【０００８】
図１は本考案の広告装置の実施の形態の平面図であり、図２は同側面図である。本実施の形態の広告装置は、内部に気体が封入された円柱形状のバルーン１の中央部に上下に貫通した空洞の孔部２が形成されている。孔部２にはポール３が挿通されている。ポール３の上部には横棒４が設けられており、横棒４によりバルーン１は上方から抜けることはない。
ポール３のバルーン１の下方をクリップ５で挟持している。クリップ５により、バルーン１は下方にずり落ちないように止められている。ポール３の最下部分は、台座部としての注水式タンク６に挿入されている。ポール３が注水式タンク６に挿入されることにより、ポール３は安定して直立した状態で設置される。
ポール３の上部と横棒４とはジョイントキャップ７により結合されている。ポール３の下部は、注水式タンク６の中央部に設けられたジョイント８に挿入固定されている。
ポール３、横棒４、および注水式タンク６は、既存の幟旗用のポールおよび台を用いることができる。バルーン１に広告媒体を表示する。すなわち、バルーン１が広告表示部となる。本考案の広告装置は、路上や駐車場等の敷地内で外に向けて、すなわち通行人の方を向けてよく見えるように設置する。
本実施の形態の広告装置によれば、バルーン１の中央部に上下に貫通した孔部２を通してポール３を容易に差し込むだけで良いので、容易に設置できる。しかも、既存の幟旗用のポールや台などを利用して、低コストで手軽で目立つ、効果的なバルーン広告を実現できる。
なお、本実施の形態では、バルーン１は円柱形状であるが、角柱状、球状などの図形の形状、またはその他の任意の立体形状でも同様の効果を奏する。また、本実施の形態では、バルーン１をポール３の上下部に余裕を残して設置したが、ポール３の上方または下方、あるいは上下に余裕を残さずバルーン１を設置することも可能である。また、台座部は注水式タンク６に限らず、コンクリートや金属などの重りになるもでも可能である。
以上のように、本考案の広告装置は、バルーンを使用することで、風の影響によって幟旗のように広告媒体が揺れたり棚引いたりしないので広告の内容が見易く、把握しやすい。これによって、広告物を利用する者にとって、伝えたい内容がはっきりと伝わる。すなわち、鮮明な広告で大きな広告効果が期待できる。さらに、バルーンを企画の形状で制作するなどインパクト効果が得られるため、販売促進効果が期待できる。
【産業上の利用可能性】
【０００９】
本考案は、広告の内容が風などに影響されずに鮮明に把握できるので、特に屋外での広告装置として適用できる。
【符号の説明】
【００１０】
１    バルーン
２    孔部
３    ポール
４    横棒
５    クリップ
６    注水式タンク
７    ジョイントキャップ
８    ジョイント
【図１】
0003178175.tif 000003
【図２】
0003178175.tif 000004
【手続補正書】
【提出日】平成24年6月29日(2012.6.29)
【手続補正１】
【補正対象書類名】実用新案登録請求の範囲
【補正対象項目名】全文
【補正方法】変更
【補正の内容】
【実用新案登録請求の範囲】
【請求項１】
バルーン本体の中央部分にポールと、前記ポールが挿通可能な孔部を上下に貫通して有する広告装置。
(57)【要約】      （修正有）【課題】花瓶や植木鉢で植物の残量水を見守り水枯れを防止し草花を長く維持させる残量水探知装置を提供する。【解決の手段】花瓶や植木鉢の中に差込み残量水を確認するためにセンサーの先端をプラス（＋）とマイナス（−）を断線状態にし水量に浸かる事により通電し電子回路体８が作動して見張り、花瓶に残量水が無くなると先端のセンサーがプラスとマイナスが導通しなくなり電子回路体８に組込んであるセンサーが異常信号を発生し発光ダイオード９やブザーで知らしてくれる残量水探知装置である。【選択図】図２
0003178174.tif 000002
【実用新案登録請求の範囲】
【請求項１】
センサー先端部を銅金属でプラスとマイナス部を施し沈水させる事により導通させ電子回路を作動させ水量が減りセンサーの先端が露出すると点灯かブザーが作動する残量水探知装置。
【考案の詳細な説明】
【技術分野】
【０００１】  本考案は、花瓶や植木鉢の残量水をセンサーで感知し目と耳で確認できる残量水探知装置に関するものである。
【背景の技術】
【０００２】  従来、花瓶や植木鉢等で植物を長く観賞するのには、水やりをまめにするのがいちばんであった。
【考案の開示】
【考案が解決しようとする課題】
【０００３】  神棚の高い場所の花瓶や植木鉢が多く並べて置く所の水管理には、中々大変になり  つい水を切らしてしまう時が多くあった。
そこで、花瓶や植木鉢内に水管理センサーを差し込み水の残量水を見張る物である。
【課題を解決するための手段】
【０００４】  花瓶や植木鉢の中に差込み残量水を確認するためにセンサーの先端をプラスとマイナスを断線状態にし水量に浸かる事により通電し電子回路が作動して見張る、花瓶に残量水が無くなると先端のプラスとマイナスが導通しなくなり電子回路に組込んであるセンサーが異常信号を発生し点灯やブザーで知らしてくる。【０００５】  残量水の目安の深差を自由に調整できるので気温の変化あわせて使い分けができ点灯やブザーで水を切らす事無くできる。
【考案の効果】
【０００６】  花瓶の中や植木鉢の水量をいちいち目で確認しなくとも残量水を光と音で知らしてくれるので便利な残量水探知装置。
【考案を実施するための最良の形態】
【０００７】  以下、本考案の実施の形態について図面を参照して説明する。
図１の（１）（２）（３）（４）（５）（６）（７）（８）（９）で構成された形態を残量水探知装置と表現する。【０００８】  図１のマイナス電極棒（１）の上に絶縁体（３）を捲着し、その上にプラス電極管（２）捲着しプラス電極管（２）の端面にプラス電線（４）を溶着しその先端を電子回路体（８）の端子に溶着しマイナス電極棒（１）の最上段の上部も電子回路体（８）のマイナスの端子に溶着し、バッテリケース（６）のプラス、マイナスの端子より電線（５）で電子回路体（８）の端子に接続し溶着し電子回路体（８）の上部に発光ダイオード（９）を設け本体絶縁体（７）を水が漏らないように捲着をする。【０００９】  図２の電極高さ調整具（１０）を本体絶縁体（７）の外部に摺接させ水位の位置に合うように調整具である。【００１０】  図３の花瓶の植物（１２）の数や量にあわせてマイナス電極棒（１）の深さを水（１３）の量を考え、電極高さ調整具（１０）でセットする。
又、マイナス電極棒（１）が水面から表れると発光ダイオード（９）が点灯する。【００１１】  図４の鉢（１４）に植物を植えた時も残量水探知装置のマイナス電極棒（１）をある程度の深さに射し込み残量水が減り乾燥すると発光ダイオード（９）が点灯するものであねる。
【図面の簡単な説明】
【００１２】
【図１】  本考案の残量水探知装置の内部面図（一部断面図）
【図２】  本考案の残量水探知装置の正面図
【図３】  本考案の残量水探知装置を花瓶に差込んだ図
【図４】  本考案の残量水探知装置を植木鉢の土の内部に射し込んだ図
【符号の説明】  １・・マイナス電極棒
２・・プラス電極管
３・・絶縁体
４・・プラス通線
５・・電線
６・・バッテリケース
７・・本体絶縁体
８・・電子回路体
９・・発光ダイオード
１０・・電極高さ調整具
１１・・花瓶
１２・・植物
１３・・水
１４・・鉢
【図１】
0003178174.tif 000003
【図２】
0003178174.tif 000004
【図３】
0003178174.tif 000005
【図４】
0003178174.tif 000006